(57)【要約】      （修正有）【課題】未挿入域を形成せずに他のジャケットやパッケージに内袋として収納したり、それ自体を単独の収納シートとして多用途に活用し、ディスクの収納を容易にすると同時に脱落を防ぐディスクの収納シートを提供する。【解決手段】複数枚重ねた円形状シート１（１ａ，１ｂ）に優弧周縁接着部３とポケット端接着部５，５を設けてポケット部２とし、シートの未接着領域が開口部４になると共に開口部の部位の最狭幅Ｗ１はディスクＤの直径Ｗ２とほぼ同長であり、ポケット端接着部は優弧周縁接着部の優弧に沿って配置されて曲面が内径側に対向し、収納されるディスクＤの脱落を防止する方向に作用しているディスクの収納シート。【選択図】図１
2011001120.tif 000002
【特許請求の範囲】
【請求項１】
複数枚のシートが接着されてなるポケット部にディスクを収納するディスクの収納シートにおいて、
シートをディスクよりも径大の円形状に成形し、前記シートの直径より短い弦の優弧周縁を一定幅で接着して優弧周縁接着部を形成し、劣弧周縁を未接着領域として開口部を設け、開口部と優弧周縁接着部との境界部にはシートの内径側にポケット端接着部を曲面に突出させ、前記開口部の部位の最狭幅をディスクの直径とほぼ同長として曲面の突出域により形成し、ディスクの収納時にはディスクの周縁部が空隙を介して前記優弧周縁接着部と連続していることを特徴とするディスクの収納シート。
【請求項２】
曲面は曲率半径が４ｍｍ〜７ｍｍであって、開口部の部位の最狭幅を結ぶ線上に中心点を有する円とシートが重なった部分であることを特徴とする請求項１記載のディスクの収納シート。
【請求項３】
優弧周縁接着部の接着幅は１ｍｍ〜３ｍｍであることを特徴とする請求項１又は２記載のディスクの収納シート。
【発明の詳細な説明】
【技術分野】
【０００１】
本発明は、ＣＤ、ＤＶＤ等の光ディスクを始めとするディスク類を収納、保持する収納シートに関する。
【背景技術】
【０００２】
従来、この種のディスクの収納シートとしては、例えば、特許文献１に記載のものが知られている。
【０００３】
特許文献１には図２に示すように、正方形に長方形のシートを重ねて３辺をヒートシールすることにより、未接着辺が開口部となる正方形の収納シートが記載されている。この収納シートのポケット部にディスクを収納すると、ポケット部の四隅にはディスクが入り込まない未挿入域が生じる。
ディスク収納後には、一方のシートの折込み部が開口部を覆って他方のシートと接着し、開口部に封をする。
【０００４】
また、特許文献１には図６に示すように、全体としてＵ字形の２枚のシートを重ね、Ｕ字形の曲線と対向した直線の一辺を除く外周をヒートシールすることにより、未接着辺が開口部となる収納シートが記載されている。この収納シートにディスクを収納すると、開口部側の両隅にディスクの未挿入域が生じる。
【０００５】
特許文献２には、外形が円形の収納シートが記載されている。この収納シートは、（１）表面シートに開封用ハーフカットを切り込む、（２）裏面シートにディスクを載置する、（３）表面シートを裏面シートの上に重ねる、（４）ディスクの外周に沿って表面シートと裏面シートをヒートシールで接着する、（５）ヒートシール部分の外周を円形状に型抜きする、という（１）〜（５）の工程により製造される。ディスクはシート内部に収納された状態で製造される。表面シートに施されている開封用ハーフカットに沿って表面シートを切ることにより、シート内部に収納されたディスクを取り出すための開口部が形成される。
【先行技術文献】
【特許文献】
【０００６】
【特許文献１】特開２００２−２８４２７８号公報
【特許文献２】特開２００５−２０６１６１号公報
【発明の概要】
【発明が解決しようとする課題】
【０００７】
特許文献１の図２に示す収納シートは、未挿入域部分がシート素材のみからなり、薄くて柔らかく、当該部分に力が加わると収納されたディスク周縁部に沿って折れ曲がりやシワが発生する。それゆえ、折れ曲がった部分はシート素材が２倍の厚みとなってディスクの周縁部に圧力をかけるため、ディスクの記録面に影響を与えやすい。また、収納シートをさらに別の紙製ジャケットやパッケージに内袋として収納する際には未挿入域部分が収納の妨げとなる。そして、円筒形のパッケージに収納する際には正方形状の収納シートでは形状が合わず、収納することができなかった。
【０００８】
また、図２の収納シートの接着剤である両面シールや糊は繰り返しの使用や経年劣化により粘着力やタック力が弱まる。そして、この接着部には埃や汚れなどが付着して接着力が低下しやすい。したがって、接着による脱落防止は繰り返しの使用には不向きであるという問題があった。さらに、折込み部及び接着部を要するため、コストが高くなるという問題があった。
【０００９】
特許文献１の図６に示すＵ字形の収納シートにおいても、開口部側両隅の未挿入域部分に折れ曲がりやシワが発生するなど、上記図２と同様の課題を有する。
また、図６の収納シートは、開口部を下向きにするとディスクが容易に脱落するという問題があった。
【００１０】
次に、特許文献２の収納シートは設置したディスクの外周に沿ってヒートシールするため、熱の影響が避けられず、ディスクの反りが生じたり、記録面に影響を与えやすいという問題があった。
【００１１】
また、ディスクを取り出すには、開封用ハーフカットに沿って表面シートを切るという手間が生ずる。そして、表面シートを切る際には指でハーフカット部分を持ち上げるためにディスクの記録面及び周縁部に強い圧力がかかり、記録面に影響を与えやすい。そして、表面シートを切った後にもディスクを取り出す際には、切断部を指で手繰り寄せるなどしなければならないため、取り出しにくいという問題があった。
【００１２】
そして、切断後には、開口部を下向きにすると、収納されたディスクはシート内部を滑って移動し、開口部より脱落するという問題があった。その際、図６に示すタグを開口部に付けることはできるが、外観上の見栄えが悪くなると共にタグ部分の構成材料を要するため、コストが高くなるという問題があった。いずれにしても、単独で使用するジャケット的ないし外部パッケージ的な構造であり、ジャケットの内部に挿入する内袋ではなかった。
【００１３】
本発明は、上述した点に鑑み創出されたもので、未挿入域を形成せずに他のジャケットやパッケージに内袋として収納したり、それ自体を単独の収納シートとして多用途に活用し、ディスクの収納を容易にすると同時に脱落を防ぐディスクの収納シートを提供することにある。
【課題を解決するための手段】
【００１４】
上記課題を解決するため、本発明のディスクの収納シートは、複数枚のシートが接着されてなるポケット部にディスクを収納するディスクの収納シートにおいて、シートをディスクよりも径大の円形状に成形し、前記シートの直径より短い弦の優弧周縁を一定幅で接着して優弧周縁接着部を形成し、劣弧周縁を未接着領域として開口部を設け、開口部と優弧周縁接着部との境界部にはシートの内径側にポケット端接着部を曲面に突出させ、前記開口部の部位の最狭幅をディスクの直径とほぼ同長として曲面の突出域により形成し、ディスクの収納時にはディスクの周縁部が空隙を介して前記優弧周縁接着部と連続していることを特徴とする。
【００１５】
上記構成によれば、ディスクを開口部に差し入れると、ディスクの周縁部がポケット端接着部と接触する。ディスクは、ポケット端接着部に接触しているディスクの周縁部を支点として、曲面に沿って案内されながらポケット部に収納される。定位置に収納されたディスクはその周縁部が、優弧周縁接着部との間に緩衝作用を有する一定の空隙を有する。収納後にディスクが開口部側に移動するような力が加わると、曲面がディスクの周縁部と接触して、ディスクをポケット部の中に留める。
ポケット端接着部は優弧周縁接着部の優弧に沿って配置されて曲面が内径側に対向し、収納されるディスクの脱落を防止する方向に作用している。
【００１６】
また本発明は、曲面は曲率半径が４ｍｍ〜７ｍｍであって、開口部の部位の最狭幅を結ぶ線上に中心点を有する円とシートが重なった部分であることを特徴とする。
【００１７】
上記構成によれば、曲面の接着形状が半円状となることにより、ポケット端接着部の接着強度が強まる。そして、曲面を円弧の一部とする円の中心点はシートの中心点とずれているために、シートに対し内側に傾いて曲面が接着される。よって、曲面の面積は、開口部の部位の最狭幅を結ぶ線の開口部側よりもポケット部側が大きく、収納されているディスクの飛び出しを強い力で留める作用を果たす。
【００１８】
また本発明は、優弧周縁接着部の接着幅は１ｍｍ〜３ｍｍであることを特徴とする。
【００１９】
上記構成によれば、優弧周縁接着部は繰り返しの使用に耐える接着強度を有し、かつ、優弧周縁接着部それ自体が折れ曲がりを発生せず、別の収納パッケージへの収納の妨げとならない長さで接着されている。
【発明の効果】
【００２０】
本発明によれば、以下のような優れた効果を有するディスクの収納シートを提供することができる。
【００２１】
（１）ディスクが収納された収納シート自体を紙製ジャケットやパッケージに収納するために用いる内袋として用いることができるうえに、この収納シート自体を持ち運びや保存用の収納シートとして単独で使用でき、多用途に用いることができる。
（２）円形状という最小限の材料で製造するときに、優弧周縁接着部に位置するポケット端接着部の曲面を優弧に沿って内径側に対向させることができ、優弧向きによってディスクの収納を容易に案内することができると同時に、優弧向きがストッパーとなって開口部を下に向けてもディスクの脱落を防止することができる。
【図面の簡単な説明】
【００２２】
【図１】本発明の第一の実施の形態にかかるディスクの収納シートの使用の状態を示す正面図である。
【図２】図１のＡ部の拡大図である。
【図３】図１のＢ−Ｂ’線の拡大断面図である。
【図４】図１のＣ−Ｃ’線の拡大断面図である。
【図５】本発明の第一の実施の形態にかかるディスクの収納シートの表面シートを省略し、ディスクが収納される状態を説明する図である。
【図６】図５のＥ部の拡大図である。
【図７】本発明の第一の実施の形態にかかるディスクの収納シートの表面シートを省略し、ディスクが収納される状態を説明する図である。
【図８】図７のＦ部の拡大図である。
【図９】本発明の第二の実施の形態にかかるディスクの収納シートの正面図である。
【図１０】図９のＧ−Ｇ’線の拡大断面図である。
【発明を実施するための形態】
【００２３】
以下、本発明の実施形態に係るディスクの収納シートについて、図面を参照して説明する。
【００２４】
〔第１の実施形態〕
収納シート１は、複数枚のシート１（１ａ，１ｂ）が接着されてなるポケット部２にディスクＤを収納するものであって、シート１ａ，１ｂをディスクＤよりも径大の円形状に成形し、前記シート１ａ，１ｂの直径より短い弦の優弧周縁３０を一定幅で接着して優弧周縁接着部３を形成し、劣弧周縁３１を未接着領域として開口部４を設け、開口部４と優弧周縁接着部３との境界部３２，３２にはシート１ａ，１ｂの内径側にポケット端接着部５，５を曲面に突出させ、前記開口部４の部位の最狭幅Ｗ１をディスクＤの直径Ｗ２とほぼ同長として曲面の突出域により形成し、ディスクＤの収納時にはディスクＤの周縁部Ｄ１が空隙６を介して前記優弧周縁接着部３と連続している。
以下、さらに詳述する。
【００２５】
複数枚のシート１（１ａ，１ｂ）は、表面シート１ａ及び裏面シート１ｂ、その他任意のシートから構成される。シート１ａ，１ｂの材質は不織布、フィルム、紙、布等から選択されるが、シート自体が伸びることにより、ディスクＤの挿入及び取出が円滑となるため、伸縮性を有する不織布又はフィルムが好ましい。表面シート１ａに透明又は半透明のフィルムを用いることにより、収納したディスクＤの表面が透けて見えるという効果を有する。一方、裏面シート１ｂに柔軟性があり接触面積の小さい不織布を用いることで、ディスクＤの記録面の損傷を防ぐという効果を有する。
【００２６】
シート１（１ａ，１ｂ）の直径は、ディスクＤと優弧周縁接着部３との間に緩衝効果のある空隙６が形成でき、かつ、ディスクＤがポケット部２の中で不用に動くのを防止する観点から、収納するディスクＤの半径をＲ（ｍｍ）とすると、２Ｒ＋６（ｍｍ）〜２Ｒ＋１４（ｍｍ）が好ましい。
【００２７】
優弧周縁接着部３は、図１に示すように、シート１ａ，１ｂの直径より短い弦の優弧周縁３０を一定幅で接着することより形成される。弦とは円周上の２点を結ぶ線のことをいい、優弧とは弦によって２つに分けられた円弧のうち、長い方の円弧のことをいう。シート１の直径より短い弦の優弧とは、シート１の半円弧よりも長い円弧である。この優弧周縁３０が接着され、ディスクＤを収納するポケット部２となる。
【００２８】
開口部４は、劣弧周縁３１を未接着領域とすることにより形成される。劣弧とは、前記弦によって２つに分けられた円弧のうち、短い方の円弧のことをいう。シート１の直径より短い弦の劣弧とは、シート１の半円弧よりも短い円弧である。ディスクＤは開口部４より挿入される。
【００２９】
前記弦の長さＰ（ｍｍ）は、ディスクＤを開口部４からポケット部２に収納する観点から、ディスクＤの直径Ｗ２と優弧周縁接着部３の両接着幅の和より大きく、シート１の直径をＱ（ｍｍ）、ディスクＤの直径Ｗ２を２Ｒ（ｍｍ）とすると、Ｑ＞Ｐ＞２Ｒ＋２（ｍｍ）が好ましい。
【００３０】
優弧周縁接着部３の接着幅は繰り返しの使用に耐える接着強度を有し、かつ、接着部自体が折れ曲がりやシワの発生を防止する観点から、１ｍｍ〜３ｍｍが好ましい。
【００３１】
ポケット端接着部５，５は、図１、２に示すように、優弧周縁接着部３と開口部４との境界部３２，３２に対置している。ポケット端接着部５は、優弧周縁接着部３の優弧に沿って配置されて曲面が内径側に対向している。
前記曲面は、開口部４の部位の最狭幅Ｗ１を結ぶ線上に中心点を有する円とシート１ａ，１ｂが重なった部分であることが望ましい。このとき両曲面はシート１ａ，１ｂの内径側にハの字型に傾いて接着される。接着された両曲面で形成されるディスクＤとの当接角度は、ディスクＤ挿入時に接触する開口部側曲面５ａよりもポケット部内側曲面５ｂの方が大きくなる。そのため、ディスクＤ挿入時には、開口部側曲面５ａが一定の方向にディスクＤを誘導する案内面となり、ディスクＤ収納後には、ポケット部内側曲面５ｂがディスクＤの周縁部に対するストッパー面となる。また、開口部側曲面５ａの接着面積よりポケット部内側曲面５ｂの接着面積が増え、収納されたディスクＤの飛び出しを強い力で留める。
【００３２】
さらに、前記曲面を有する円の曲率半径は、接着する曲面を半円状として、ポケット端接着部の強度を大きくする観点から、４ｍｍ〜７ｍｍとすることが好ましい。
【００３３】
開口部４の部位の最狭幅Ｗ１は、シート１ａ，１ｂの内径側にポケット端接着部５，５の前記曲面の突出域をディスクＤの直径Ｗ２とほぼ同長として接着させることで形成される。開口部４の部位の最狭幅Ｗ１は、ディスクＤを挿入でき、かつ、収納後の脱落を防ぐ観点から、収納するディスクＤの半径をＲ（ｍｍ）とすると、２Ｒ〜２Ｒ＋２（ｍｍ）が好ましい。
【００３４】
優弧周縁接着部３及びポケット端接着部５，５の接着は、優弧周縁接着部３及びポケット端接着部５，５の接着パターンを一体として一度に行ってもよいし、優弧周縁接着部３の接着後にポケット端接着部５の接着を行うなど、それぞれ別々に行ってもよい。優弧周縁接着部３及びポケット端接着部５，５の接着パターンを一体として、ヒートシール又は高周波溶着すると１回の接着処理ですむため、収納シート１を簡便に生産することができる。
【００３５】
空隙６は、図１、３に示すように、収納シート１に収納されたディスクＤの周縁部Ｄ１と優弧周縁接着部３の間に優弧環状に形成される。空隙６の幅Ｗ３は、外部から加えられた物理的衝撃に対する緩衝効果を有すると共に、ディスクＤの反りや締め付け、シート自体の伸縮によるシート形状の崩れを防ぐ観点から、１ｍｍ〜４ｍｍが好ましい。
【００３６】
図５〜８に示すように、収納シート１にディスクＤを収納する際には、開口部側曲面５ａにディスクＤの周縁部Ｄ１が接触することによりディスクＤの挿入方向が定まる（図５、図６）。ディスクＤをポケット部２に向かって押し進めると、シート１が伸びると共に、ポケット端接着部５に接触しているディスクＤの周縁部Ｄ１が支点となり、曲面に沿ってディスクＤは回転しながら（図７、図８）、あるいは滑りながら収納シート１に収納される。このとき、ディスクＤはポケット部内側曲面５ｂに導かれて収納シート１内の定位置に収まる。ディスクＤが定位置に収納されるとディスクＤの周縁部Ｄ１と優弧周縁接着部３の間には空隙６を有し、ポケット端接着部５の曲面の最突出部５ｃとの間にはわずかな空隙のクリアランス７を有する。ディスクＤの収納後には、ポケット端接着部５のポケット部内側曲面５ｂ及び曲面の最突出部５ｃはディスクＤをポケット部２の中に留めるストッパーとなり、収納されたディスクＤの脱落を防ぐ。
【００３７】
わずかな空隙のクリアランス７は、図２、４に示すように、ディスクＤの周縁部Ｄ１とポケット端接着部５の曲面の最突出部５ｃとの間に形成される。クリアランス７の幅Ｗ４は、ディスクＤを反りや締め付けから防ぐ観点から、ディスクＤの周縁部Ｄ１がポケット端接着部５に接触しない程度の幅である。
【００３８】
収納シート１からディスクＤを取り出す際には、ディスクＤの周縁部Ｄ１を引き出すと、ポケット部内側曲面５ｂにディスクＤの周縁部Ｄ１が接触してディスクＤの移動方向が定まる。さらにディスクＤの周縁部Ｄ１を引き出すと、シート１が伸びると共に、ポケット端接着部５に接触しているディスクＤの周縁部Ｄ１が支点となり、曲面に沿ってディスクＤは開口部４から取り出される。
【００３９】
ディスクの収納シート１は、ディスクＤが収納された収納シート１自体を別の紙製ジャケットやパッケージに収納するための内袋として用いることができる。未挿入域があることによる折れ曲がりやシワが発生せず、収納シート１全体が回転ないし滑りながらジャケットの収納部に入るため、容易に収納することができる。また、収納シート１を下向きにしてもディスクＤの脱落がないため、収納時の収納シート１の開口部４の向きを気にせず扱うことができる。
【００４０】
また、この収納シート１自体を持ち運びや保存用の収納シートとして単独で多用途に用いることができる。収納シート１は円形状で最小限の材料で構成されており、シンプルなデザインを有する。表面シート１ａに必要に応じて印刷を施すか、表面シート１ａの素材を透明又は半透明として、ディスク表面に印刷されている文字や絵などを見せることで、収納シート自体をパッケージとして用いることもできる。さらに、裏面シート１ｂの裏面側に接着部を設けることにより、書籍や雑誌等の印刷物に添付するために用いることもできる。
〔第２の実施形態〕
【００４１】
図９、１０に示すように、収納シート１は、優弧周縁接着部に複数の未接着領域３０１を有する不連続な優弧周縁接着部３００とすることもできる。不連続の優弧周縁接着部３００は、繰り返しの使用に耐える接着強度を有し、ディスクＤの周縁部Ｄ１を衝撃から保護しつつ収納する観点から、連続した優弧周縁接着部３の少なくとも半分の接着面積について接着されていることが望ましい。
【００４２】
この収納シート１にディスクＤを挿入すると、開口部４からディスクＤと共にポケット部２の中に入った空気は未接着領域３０１を通じてポケット部の外に抜ける。そのため、収納シート１が空気で膨らむことがなく、ディスクＤをスムーズに収納することができる。
【００４３】
次に、実施例を用いて本発明を詳細に説明する。
【実施例１】
【００４４】
円形状シートの表面シートに厚さ０．２ｍｍの無色半透明のポリオレフィン製フィルム（オカモト株式会社製  ＰＯ系  コンビニフィルム梨地０．２ｍｍ）、裏面シートに厚さ０．５２ｍｍの黒色のポリプロピレン製スパンボンド不織布（日本不織布株式会社製  スプリトップＳＰ−１１００Ｅ）を選択し、径１２７ｍｍの円形状に成形した。そして、連続した優弧周縁接着部及びポケット端接着部を一体として高周波溶着により形成した。優弧周縁部は円形状シートの長さ１２６ｍｍの弦の優弧周縁部を幅１．５ｍｍで接着することにより形成した。また、ポケット端接着部における曲面状の接着は上記長さ１２６ｍｍの弦の線分上に円の中心点を有する曲率半径５ｍｍの円と円形状シートが重なる部分について、開口部の最狭幅が１２０．５ｍｍ〜１２１ｍｍとなるように行った。
【００４５】
形成された収納シートに厚さ１ｍｍ、直径１２０ｍｍのコンパクトディスクを収納シートの開口部に挿入すると、コンパクトディスクの周縁部が収納シートのポケット端接着部に接触した。ディスクを押し進めると、一方のポケット端接着部とディスクが接触している点が支点となり、曲面に沿ってディスクが回転ないし滑りながらスムーズに収納シートにコンパクトディスクが収納された。コンパクトディスクと優弧周縁接着部には２ｍｍの空隙が形成され、約０．５ｍｍのクリアランス７が形成されていた。
【００４６】
収納されたコンパクトディスクを取り出すにあたり、コンパクトディスクの周縁部に指を添えて引き出すと、一方のポケット端接着部とディスクが接触している点が支点となり、曲面に沿って回転しながらディスクが引き出され、スムーズにコンパクトディスクを取り出すことができた。コンパクトディスクの出し入れを繰り返しても、ポケット端接着部および優弧周縁接着部の剥がれはなく、シート形状の崩れなども生じなかった。
【００４７】
コンパクトディスクが収納された状態で優弧周縁接着部を持ち、収納シートの開口部を下側にして収納シートを上下に振ったところ、コンパクトディスクは収納シートの内部に留まり脱落はなかった。また、差込型の紙製ジャケットに収納シートを挿入すると、未挿入域によるシワや折れ曲がりが発生せず、収納シートが回転しながらスムーズに紙製ジャケットに収納された。円筒形のパッケージについても、折れ曲がりやシワが発生することなく、見栄えよく収納することができた。
【符号の説明】
【００４８】
１          ディスクの収納シート
１ａ        表面シート
１ｂ        裏面シート
２          ポケット部
３、３００  優弧周縁接着部
３０        優弧周縁
３１        劣弧周縁
３２        境界部
３０１      優弧周縁接着部における未接着領域
４          開口部
５          ポケット端接着部
５ａ        開口部側曲面
５ｂ        ポケット部内側曲面
５ｃ        曲面の最突出部
６、Ｗ３    空隙
７、Ｗ４    クリアランス
Ｄ          ディスク
Ｄ１        ディスクの周縁部
Ｗ１        開口部の部位の最狭幅
Ｗ２        ディスクの直径
【図１】
2011001120.tif 000003
【図２】
2011001120.tif 000004
【図３】
2011001120.tif 000005
【図４】
2011001120.tif 000006
【図５】
2011001120.tif 000007
【図６】
2011001120.tif 000008
【図７】
2011001120.tif 000009
【図８】
2011001120.tif 000010
【図９】
2011001120.tif 000011
【図１０】
2011001120.tif 000012